【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
第１流路と、
前記第１流路に連通された流体内の第２流路と、
制第１流路と前記第２流路の少なくとも１つに近接して配置されたヒータと、
前記第１及び第２流路の上流に配置され、前記ヒータがオンされたとき作動されるために動作可能な流体制御装置を具備し、前記流体制御装置の作動は前記第１流路と前記第２流路の少なくとも１つの流体流量を変化させる
流体制御システム。
【請求項２】
前記第１流路は内部流路であり、前記第２流路は前記内部流路を囲む外部流路である
請求項１記載の流体制御システム。
【請求項３】
前記第２流路は、前記流体制御システムの流体流路の外側に配置されたバイパス流路である
請求項１記載の流体制御システム。
【請求項４】
前記第１流路及び前記第２流路は排気システムの主流体流路に配置される
請求項１記載の流体制御システム。
【請求項５】
前記流体制御システムは、前記流体制御装置に結合されたアクチュエータをさらに含み、前記アクチュエータは前記ヒータがオンされたとき前記流体制御装置を作動するために適合される
請求項１記載の流体制御システム。
【請求項６】
前記アクチュエータは、熱エネルギーにより動力が供給される
請求項５記載の流体制御システム。
【請求項７】
前記熱エネルギーは、ヒータ、前記ヒータの温度変化に対する反応、排気ガス、排気ガスの温度変化に対する反応、示差熱膨張、及びこれらの組み合わせからなるグループから選択された供給源により提供される
請求項６記載の流体制御システム。
【請求項８】
前記流体制御装置は、前記第１及び第２流路の上流に配置されたフラッパ部材を含み、前記フラッパ部材は、前記アクチュエータと連動され、前記流体制御装置の作動中に前記アクチュエータにより位置決めされた場合、前記第１及び第２流路間の流体流を制限するため動作可能とされる
請求項５記載の流体制御システム。
【請求項９】
前記フラッパ部材は、前記第１流路を通る流体流を制限するため前記ヒータからの熱に応答して位置を変えるために適合されるプレート本体を具備する
請求項８記載の流体制御システム。
【請求項１０】
前記流体制御装置は、前記フラッパ部材上に支持された少なくとも１つの作動面を含み、前記作動面は、前記ヒータが加熱された場合、前記第２流路に流体流を通すためフラッパ部材の位置を決めるように前記アクチュエータを動作させる
請求項８記載の流体制御システム。
【請求項１１】
前記アクチュエータは、形状記憶合金、バイメタル構造、及びこれらの組み合わせからなるグループから選択された材料を含む
請求項８記載の流体制御システム。
【請求項１２】
前記流体制御装置は、前記アクチュエータが前記第１流路を通る流体流を制限するため形状を変化させる場合、位置を変えるように適合される
請求項１１記載の流体制御システム。
【請求項１３】
前記流体制御装置は、前記ヒータの近くに位置された前記第１流路の壁に近接して配置されたアクチュエータ部材の少なくとも１つに旋回可能に接続された少なくとも１つの旋回部材を含み、前記少なくとも１つの旋回部材は、前記ヒータがオンとされ、前記少なくとも１つの作動部材により作動された場合、前記第１流路を通る流体流を制限するため作動する
請求項１記載の流体制御システム。
【請求項１４】
排気流体流路に流体を提供するエンジンの排気システムであって、
前記排気流体流路に配置された少なくとも１つの排気後処理システムと、
前記少なくとも１つの排気後処理システムの上流位置で前記排気流体流路に結合されたバイパス導管と、
前記バイパス導管内に配置されたヒータと、
を具備する排気システム。
【請求項１５】
前記バイパス導管は、前記排気流体流路の上流位置に隣接して配置された入口と前記排気流体流路の下流位置に位置された出口を画定する
請求項１４記載の排気システム。
【請求項１６】
前記バイパス導管の前記入口と前記バイパス導管の出口の少なくとも１つに近接して配置され、作動が前記排気流体流路に流れる流体を制限するために適合され、前記流体を前記バイパス導管に転送する少なくとも１つの流量制御装置をさらに含む
請求項１５記載の排気システム。
【請求項１７】
前記バイパス導管の入口に近接して配置された第１流量制御装置と、前記バイパス導管の出口に近接して配置された第２流量制御装置とをさらに含み、前記第１及び第２流量制御装置の作動が、前記排気流体流路への流体流を制限し、前記流体を前記バイパス導管に転送するように適合された
請求項１４記載の排気システム。
【請求項１８】
排気流体流路に設けられた少なくとも１つの排気後処理システムと、
前記少なくとも１つの排気後処理システムの下流に配置され、少なくとも１つの流体流制御装置を含む再生装置を具備し、前記流体流制御装置は、前記再生装置の温度変化により作動され、前記再生装置の作動は排気流体流を制限する
排気システム。
【請求項１９】
前記少なくとも１つの排気後処理システムは、触媒コンバータ、ディーゼ微粒子フィルタル、選択式触媒還元、ディーゼル酸化物触媒、リーン窒素酸化物（ＮＯｘ）トラップ、アンモニアスリップ触媒、改質器、及びこれらの組み合わせからなるグループから選択された少なくとも１つの排気処理ユニットを含む
請求項１８記載の排気システム。
【請求項２０】
前記再生装置は、前記再生装置が作動された場合、前記ディーゼ微粒子フィルタに制限された排気流体の温度の上昇及び圧力の上昇を生じさせるために動作可能である
請求項１９記載の排気システム。
【請求項２１】
前記再生装置は、前記再生装置が作動された場合、選択式触媒還元に制限された排気流体の温度の上昇及び圧力の上昇を生じさせるために動作可能である
請求項１９記載の排気システム。
【請求項２２】
流体導管と、
前記流体導管内に配置されたヒータと、
形状、位置、向き、及び前記ヒータの位置の少なくとも１つを変化させるため前記ヒータがオンとされた場合作動されるように動作可能な機構と、
を具備する流体加熱システム。
【請求項２３】
前記機構は、前記ヒータに取付けられた別のエレメントである
請求項２２記載の流体加熱システム。
【請求項２４】
前記機構は、前記ヒータと一体である
請求項２２記載の流体加熱システム。
【手続補正２】
【補正対象書類名】明細書
【補正対象項目名】００２１
【補正方法】変更
【補正の内容】
【００２１】
本開示の別の形態において、排気ガスは、通常のエンジン運転中に、第１流路８２及び第２流路８４の一方のみを通って導かれることが可能である。この構成において、第２流路８４はバイパス流路として機能する。ヒータ８６が作動されない場合、排気ガスは、第１流路８２のみに導かれる。ヒータ８６が作動された場合、排気ガスは第２流路８４にのみ導かれる。流体制御装置８８は、排気ガスの流路を制御するため、第１及び第２流路８２、８４の上流に設けられる。
【手続補正３】
【補正対象書類名】明細書
【補正対象項目名】００２２
【補正方法】変更
【補正の内容】
【００２２】
図２乃至図４を参照すると、本開示の一形態において、流体制御装置８８は、フラッパ部材９０と、支持部材９２とを含んでいる。支持部材９２は、フラッパ部材９０の対向する端部から延びる棒の形態であってもよい。フラッパ部材９０は、第１及び第２流路８２、８４の上流に配置されている。一形態において、フラッパ部材９０は、排気ガスの流れに垂直な位置を有するプレート本体を画定する。ヒータ８６が作動されていない場合、フラッパ部材９０は、垂直方向が第１流路８２の長手軸に対して垂直となるように位置され、排気ガスが第１流路８２を通ることが可能とされる。ヒータ８６が作動された場合、フラッパ部材９０は、第１流路８２を閉鎖すため、その垂直方向が第１流路８２の長手軸と平行になるように配置される。
【手続補正４】
【補正対象書類名】明細書
【補正対象項目名】００２３
【補正方法】変更
【補正の内容】
【００２３】
流体制御装置８８は、第２流路８４内に配置されたヒータ８６の状態に基づいて、フラッパ部材９０を異なる位置に位置決めするように作動される。再生が必要な場合には、ヒータ３６を通って流れる排気ガスを加熱するためヒータ８６がオンとされる。ヒータ８６からの熱により、流体制御装置８８が作動して、第２流路８４に排気ガスの流れを誘導し、これにより排気ガスの流量を制御する。
【手続補正５】
【補正対象書類名】明細書
【補正対象項目名】００２４
【補正方法】変更
【補正の内容】
【００２４】
随意に、流体制御装置８８は、熱エネルギーによって流体制御装置８８を作動させることができる１つ以上の作動面９６を含むことができる。熱エネルギーは、例えば、ヒータ８６からの熱、ヒータの温度変化に対する反応、排気ガス、排気ガスの温度変化に対する反応、示差熱膨張、及びこれらの組み合わせを含む多くの供給源を介して提供することができる。再生が必要であり、ヒータ８６がオンにされた場合、作動面９６はヒータ８６に面し、したがって加熱される。加熱された作動面９６は、アクチュエータ９４に信号を送信して、前述したように排気ガスの流路及び／又は流量を変更させるため、アクチュエータ９４に流体制御装置８８の位置を決めさせてもよい。
【手続補正６】
【補正対象書類名】明細書
【補正対象項目名】００２５
【補正方法】変更
【補正の内容】
【００２５】
流体制御装置８８は、フラッパーバルブ、バタフライバルブ、又は類似の構造を含むことができる。アクチュエータ９４は、熱又は温度変化に応答して形が変化する形状記憶合金のような材料を含むことができる。本開示の一形態において、フラッパ部材９０は、ヒータ動作に関連する温度又は温度変化に応答して形が変化する形状記憶合金で作ることができる。流体制御装置８８は、フラッパ部材９０の変化された形状により、その位置を変えることができる。別の形態において、フラッパ部材９０は、ヒータ作動に関連する温度が流体制御装置８８の作動のために変位させるバイメタル構造で製造することができる。流体制御装置８８の作動は、作動面９６又は外部アクチュエータ９４により直接作動させてもよい。
【手続補正７】
【補正対象書類名】明細書
【補正対象項目名】００２６
【補正方法】変更
【補正の内容】
【００２６】
図５を参照すると、本開示による流量制御装置１００の別の形態が提供される。流量制御装置１００は、旋回部材１０２と作動部材１０４を含んでいる。図示のように、作動部材１０４は、第１流路８２の壁に近接して配置され、ヒータ８６に接触している。旋回部材１０２は、旋回可能に作動部材１０４に接続され、開位置Ａ（第１流路８２が開いている）と閉位置Ｂ（第１流路８２が閉じている）との間を移動するように旋回可能である。旋回部材１０２は、さらに旋回動作することができ、完全に開いた位置と完全に閉じた位置との間のどこかに配置することによって、第１流路８２を通る流体流を減少させることができる。１つの形態において、ヒータ８６が作動していないとき、旋回部材１０２は、開放位置にあり、排気ガスが第１流路８２を通って流れることを可能にする。再生が必要であり、ヒータ８６がオンとされた場合、熱が作動部材１０４に供給され、作動部材１０４の形状を変化させる。変化された形状は、旋回部材１０２を開位置Ａから閉位置Ｂ、又はその間のどこかに移動させる。完全な閉位置Ｂにおいて、第１流路８２が閉鎖され、それによって、第１流路８２を通る流体の流れが防止され、ヒータ８６がその中に配置された第２流路８４が開放される。その結果、排気ガスは第２流路８４に導かれ、ヒータ８６によって加熱される。
【手続補正８】
【補正対象書類名】明細書
【補正対象項目名】００２７
【補正方法】変更
【補正の内容】
【００２７】
図６及び７を参照すると、本開示の別の形態による流量制御装置１２０は、バイメタル構造であり得、第１流路８２を画定する壁に近接して設けられ、ヒータ８６の近くに配置される複合屈曲部材１２２を含んでいる。複合屈曲部材１２２は、開位置Ａ（第１流路８２が開いている）と閉位置Ｂ（第１流路８２が閉じている位置）との間を移動可能である。これは、位置Ａと位置Ｂとの間の様々な位置を含む。ヒータ８６がオンにされていないとき、屈曲部材１２２は、第１流路８２を開き、第２流路を通る流体の流れを遮断するか、低減する開位置Ａにあることができる。再生が必要であり、ヒータ８６が作動されると、屈曲部材１２２はその形状を変え、第１流路８２を通る流体の流れを閉鎖又は減少させるため、互いに閉位置Ｂに向かって移動する。排気ガスは、第２流路８４に導かれ、その中でヒータ８６によって加熱される。